(57)【要約】      （修正有）【課題】非常呼びシステムのボタンが押下されたことをかご内の乗客が容易に認識することが可能な非常呼びシステムを提供する。【解決手段】非常呼びシステム１０は、エレベータのかご１内に設けられた非常呼びボタン装置１１であって、ボタン１４と、ボタン１４が押下されると点灯または点滅するランプ１５と、を有する非常呼びボタン装置１１と、かご１内に設けられたかご内インターホン１２と、かご１の外部に設けられた外部インターホン１３と、ボタン１４が押下されるとかご内インターホン１２と外部インターホン１３とを通話可能状態とするインターホン制御部２０と、かご内インターホン１２と外部インターホン１３とが通話状態になったことを検出する通話状態検出部２２と、通話状態検出部２２によりかご内インターホン１２と外部インターホン１３とが通話状態になったことが検出されると、ランプ１５を消灯させるランプ制御部２３と、を備えている。【選択図】図２
2018203438.tif 000002
【特許請求の範囲】
【請求項１】
エレベータのかご内に設けられた非常呼びボタン装置であって、ボタンと、前記ボタンが押下されると点灯または点滅するランプと、を有する非常呼びボタン装置と、
前記かご内に設けられたかご内インターホンと、    
前記かごの外部に設けられた外部インターホンと、
前記ボタンが押下されると前記かご内インターホンと前記外部インターホンとを通話可能状態とするインターホン制御部と、
前記かご内インターホンと前記外部インターホンとが通話状態になったことを検出する通話状態検出部と、
前記通話状態検出部により前記かご内インターホンと前記外部インターホンとが通話状態になったことが検出されると、前記ランプを消灯させるランプ制御部と、
を備えたことを特徴とする、非常呼びシステム。
【請求項２】
前記ランプ制御部は、前記通話状態検出部により前記かご内インターホンと前記外部インターホンとが通話状態になったことが検出されない場合、前記ボタンが押下されてから一定時間経過後に、前記ランプを消灯させ、
前記インターホン制御部は、前記通話状態検出部により前記かご内インターホンと前記外部インターホンとが通話状態になったことが検出されない場合、前記ボタンが押下されてから一定時間経過後に、前記かご内インターホンと前記外部インターホンとを通話不能状態とすることを特徴とする、請求項１に記載の非常呼びシステム。
【請求項３】
前記かご内インターホンおよび／または前記外部インターホンは、前記かご内インターホンと前記外部インターホンとの通話が開始されたことを検出する通話開始検出部を有し、
前記通話状態検出部は、前記通話開始検出部からの入力により、前記かご内インターホンと前記外部インターホンとが通話状態になったことを検出することを特徴とする、請求項１または２に記載の非常呼びシステム。
【発明の詳細な説明】
【技術分野】
【０００１】
本発明の実施の形態は、エレベータの非常呼びシステムに関する。
【背景技術】
【０００２】
一般的に、エレベータのかご内で異常事態が発生した場合に、非常呼びシステムを作動させるための非常呼びボタンが、かご内に設けられている。非常呼びシステムが作動すると、かご内で異常事態が発生したことがかごの外部の人、例えばエレベータ監視室の監視人等、に報知される。
【先行技術文献】
【特許文献】
【０００３】
【特許文献１】実開平５−２２４６１号公報
【発明の概要】
【発明が解決しようとする課題】
【０００４】
しかしながら、非常呼びボタンを押した場合であっても、かご内の乗客は、非常呼びシステムが作動しているか否か、すなわち非常呼びボタンが適切に押下されたか否か、を把握することができない。このことは、有事の際に乗客を不安にさせる。また、誤って非常呼びボタンが押下された際、乗客は非常呼びボタンが押下されたことに気づくことができない。このため、非常呼びシステムが作動して呼び出された監視人がかご内の乗客に呼びかけても、かご内の乗客から応答が得られない、という不都合が生じる。
【０００５】
本発明は、このような点を考慮してなされたものであり、非常呼びシステムのボタンが押下されたことをかご内の乗客が容易に認識することが可能な非常呼びシステムを提供すること、を目的とする。
【課題を解決するための手段】
【０００６】
一実施の形態による非常呼びシステムは、エレベータのかご内に設けられた非常呼びボタン装置であって、ボタンと、ボタンが押下されると点灯または点滅するランプと、を有する非常呼びボタン装置と、かご内に設けられたかご内インターホンと、かごの外部に設けられた外部インターホンと、ボタンが押下されるとかご内インターホンと外部インターホンとを通話可能状態とするインターホン制御部と、かご内インターホンと外部インターホンとが通話状態になったことを検出する通話状態検出部と、通話状態検出部によりかご内インターホンと外部インターホンとが通話状態になったことが検出されると、ランプを消灯させるランプ制御部と、を備えている。
【図面の簡単な説明】
【０００７】
【図１】図１は、本発明の実施の形態における非常呼びボタン装置が設けられたエレベータのかご内を示す斜視図である。
【図２】図２は、図１に示す非常呼びボタン装置を含む非常呼びシステムの全体的な構成を示すブロック図である。
【発明を実施するための形態】
【０００８】
以下、図面を参照して本発明の実施の形態について説明する。
【０００９】
まず、図１及び図２を用いて、本発明の実施の形態による非常呼びシステムについて説明する。図１には、本発明の実施の形態における非常呼びボタン装置が設けられたエレベータのかごの内部が示されている。また、図２には、非常呼びシステムの全体的な構成が示されている。
【００１０】
図２に示すように、非常呼びシステム１０は、エレベータのかご１内に設けられた非常呼びボタン装置１１と、かご１内に設けられたかご内インターホン１２と、かご１の外部（ここではエレベータ監視室）に設けられた外部インターホン１３と、を含んでいる。かご内インターホン１２と外部インターホン１３との間には、かご内インターホン１２と外部インターホン１３との間の回線４０を接続または遮断するスイッチ２１が設けられている。なお、図２に示す例においては、外部インターホン１３は、回線４０が接続されると、呼び出し音を鳴らすようになっている。
【００１１】
図１に示すように、非常呼びボタン装置１１及びかご内インターホン１２は、かご１の壁面２に配置された操作盤３に設けられている。操作盤３には、他に、かご１のかごドア４を開閉するために利用者が操作可能な開ボタン３０および閉ボタン３１や、かご１の行き先階登録を行うために利用者が操作可能な行き先階操作ボタン３３が設けられている。図２に示すように、非常呼びボタン装置１１は、ボタン１４と、ボタン１４の周囲に設けられ、ボタン１４が押下されると点灯または点滅するランプ１５と、を有している。非常呼びボタン装置１１は、ボタン１４が押下されると、後述するインターホン制御部２０とランプ制御部２３とに信号を入力するようになっている。
【００１２】
図２に示すように、非常呼びシステム１０は、さらに、ボタン１４が押下されるとかご内インターホン１２と外部インターホン１３とを通話可能状態とするインターホン制御部２０を有している。図２に示す例では、インターホン制御部２０は、ボタン１４が押下されて非常呼びボタン装置１１から信号が入力されると、スイッチ２１に信号を入力して、回線４０を接続するようになっている。このようにして、インターホン制御部２０は、かご内インターホン１２と外部インターホン１３とを通話可能状態とする。また、インターホン制御部２０は、後述するランプ制御部２３から信号が入力されると、スイッチ２１に信号を入力して、回線４０を遮断するようになっている。このようにして、インターホン制御部２０は、かご内インターホン１２と外部インターホン１３とを通話不能状態とする。
【００１３】
図２に示すように、非常呼びシステム１０は、さらに、かご内インターホン１２と外部インターホン１３とが通話状態になったことを検出する通話状態検出部２２と、通話状態検出部２２によりかご内インターホン１２と外部インターホン１３とが通話状態になったことが検出されると、ランプを消灯させるランプ制御部２３と、を有している。
【００１４】
ここで、図２に示す例においては、外部インターホン１３は、かご内インターホン１２と外部インターホン１３との通話が開始されたことを検出する通話開始検出部２４を有している。通話開始検出部２４は、かご内インターホン１２と外部インターホン１３との通話が開始されたことを検出すると、通話状態検出部２２に信号を入力するようになっている。そして、通話状態検出部２２は、通話開始検出部２４から信号が入力されると、かご内インターホン１２と外部インターホン１３とが通話状態になったことを検出し、ランプ制御部２３に信号を入力するようになっている。
【００１５】
図２に示す例においては、外部インターホン１３は、送受話器と送受話器を載置するインターホン本体とを有している。そして、通話開始検出部２４は、外部インターホン１３の送受話器がインターホン本体から取り外されたことを検出することにより、かご内インターホン１２と外部インターホン１３との通話が開始されたことを検出する。もちろん、通話開始検出部２４は、他の方法によりかご内インターホン１２と外部インターホン１３との通話が開始されたことを検出してもよい。例えば、かご内インターホン１２と外部インターホン１３との通話が外部インターホン１３に設けられた通話開始ボタンを押下することにより開始される場合、通話開始検出部２４は、通話開始ボタンが押下されたことを検出することにより、かご内インターホン１２と外部インターホン１３との通話が開始されたことを検出してもよい。また、通話開始検出部２４は、かご内インターホン１２に設けられていてもよいし、あるいは、かご内インターホン１２及び外部インターホン１３の両方に設けられていてもよい。
【００１６】
ランプ制御部２３は、通話状態検出部２２によりかご内インターホン１２と外部インターホン１３とが通話状態になったことが検出されて信号が入力されると、非常呼びボタン装置１１に信号を入力し、ランプ１５を消灯させるようになっている。
【００１７】
図２に示す例においては、ランプ制御部２３は、通話状態検出部２２によりかご内インターホン１２と外部インターホン１３とが通話状態になったことが検出されない場合、ボタン１４が押下されてから一定時間経過後に、ランプ１５を消灯させるようになっている。また、ランプ制御部２３は、通話状態検出部２２によりかご内インターホン１２と外部インターホン１３とが通話状態になったことが検出されない場合、ボタン１４が押下されてから一定時間経過後に、インターホン制御部２０に信号を入力し、かご内インターホン１２と外部インターホン１３とを通話不能状態とするようになっている。
【００１８】
具体的には、ランプ制御部２３はタイマー２５を有している。タイマー２５は、ボタン１４が押下されて非常呼びボタン装置１１からランプ制御部２３に信号が入力されると、作動するようになっている。そして、ランプ制御部２３は、タイマー２５が作動して一定時間経過すると、非常呼びボタン装置１１に信号を入力して、ランプ１５を消灯させる。また、ランプ制御部２３は、タイマー２５が作動して一定時間経過すると、インターホン制御部２０に信号を入力する。そして、インターホン制御部２０は、上述のように、ランプ制御部２３から信号が入力されると、スイッチ２１に信号を入力して回線４０を遮断させる。このようにして、インターホン制御部２０は、通話状態検出部２２によりかご内インターホン１２と外部インターホン１３とが通話状態になったことが検出されない場合、ボタン１４が押下されてから一定時間経過後に、かご内インターホン１２と外部インターホン１３とを通話不能状態とするようになっている。
【００１９】
次に、このような構成からなる本実施の形態の作用について、図２を参照しながら説明する。
【００２０】
まず、非常時にかご１内の乗客によって非常呼びボタン装置１１のボタン１４が押下されると、ランプ１５が点灯または点滅される。このとき、非常呼びボタン装置１１からランプ制御部２３に信号が入力され、タイマー２５が作動する。また、非常呼びボタン装置１１からインターホン制御部２０に信号が入力され、インターホン制御部２０からスイッチ２１に信号が入力される。これにより、回線４０が接続され、かご内インターホン１２と外部インターホン１３とが通話可能状態となる。
【００２１】
かご内インターホン１２と外部インターホン１３とが通話可能状態になると、外部インターホン１３の呼び出し音が鳴らされる。エレベータ監視室の監視人によって外部インターホン１３の送受話器がインターホン本体から取り外されると、通話開始検出部２４によってかご内インターホン１２と外部インターホン１３との通話が開始されたことが検出され、通話開始検出部２４から通話状態検出部２２に信号が入力される。通話開始検出部２４から通話状態検出部２２に信号が入力されると、かご内インターホン１２と外部インターホン１３とが通話状態になったことが検出され、通話状態検出部２２からランプ制御部２３に信号が入力される。これにより、ランプ制御部２３から非常呼びボタン装置１１に信号が入力されて、ランプ１５が消灯される。
【００２２】
かご１内の乗客が非常呼びボタン装置１１のボタン１４を押下しても、通話状態検出部２２からランプ制御部２３に信号が入力されないまま一定時間が経過した場合、ランプ制御部２３から非常呼びボタン装置１１に信号が入力され、ランプ１５が消灯される。また、この場合、ランプ制御部２３からインターホン制御部２０にも信号が入力され、インターホン制御部２０からスイッチ２１に信号が入力される。これにより、回線４０が遮断され、かご内インターホン１２と外部インターホン１３とが通話不能状態となる。
【００２３】
このように本実施の形態の非常呼びシステム１０は、エレベータのかご１内に設けられた非常呼びボタン装置１１であって、ボタン１４と、ボタン１４が押下されると点灯または点滅するランプ１５と、を有する非常呼びボタン装置１１と、かご１内に設けられたかご内インターホン１２と、かご１の外部に設けられた外部インターホン１３と、ボタン１４が押下されるとかご内インターホン１２と外部インターホン１３とを通話可能状態とするインターホン制御部２０と、かご内インターホン１２と外部インターホン１３とが通話状態になったことを検出する通話状態検出部２２と、通話状態検出部２２によりかご内インターホン１２と外部インターホン１３とが通話状態になったことが検出されると、ランプ１５を消灯させるランプ制御部２３と、を備えている。
【００２４】
非常呼びボタン装置１１が、ボタン１４が押下されると点灯または点滅するランプ１５を有していることにより、かご１内の乗客は、ボタン１４が押下されたことを容易に認識することができる。これにより、有事の際、かご１内の乗客がボタン１４が適切に押下されたか否かを把握することができずに不安に感じる、ということが防止される。あるいは、誤ってボタン１４が押下された際、かご１内の乗客がボタン１４が押下されたことに気づかず、かご１の外部にいる監視人等からの呼びかけに応じない、という不都合が生じることが防止される。
【００２５】
また、本実施の形態によれば、ランプ制御部２３は、通話状態検出部２２によりかご内インターホン１２と外部インターホン１３とが通話状態になったことが検出されない場合、ボタン１４が押下されてから一定時間経過後に、ランプ１５を消灯させる。また、インターホン制御部２０は、通話状態検出部２２によりかご内インターホン１２と外部インターホン１３とが通話状態になったことが検出されない場合、ボタン１４が押下されてから一定時間経過後に、かご内インターホン１２と外部インターホン１３とを通話不能状態とする。これにより、かご１内の乗客は、再びボタン１４を押して非常呼びシステム１０を再度作動させることができる。この結果、外部インターホン１３により再度呼び出し音が鳴らされる等して、かご１の外部にいる人の注意を効果的に引くことができる。
【００２６】
また、本実施の形態によれば、かご内インターホン１２および／または外部インターホン１３は、かご内インターホン１２と外部インターホン１３との通話が開始されたことを検出する通話開始検出部２４を有し、通話状態検出部２２は、通話開始検出部２４からの入力により、かご内インターホン１２と外部インターホン１３とが通話状態になったことを検出する。これにより、通話状態検出部２２は、かご内インターホン１２と外部インターホン１３とが通話状態になったことを容易に検出することができる。
【００２７】
本発明の実施の形態を説明したが、上述の実施の形態は、例として提示したものであり、発明の範囲を限定することは意図していない。上述の新規な実施形態は、その他の様々な形態で実施されることが可能であり、発明の要旨を逸脱しない範囲で、種々の省略、置き換え、変更を行うことができる。上述の実施の形態やその変形は、発明の範囲や要旨に含まれるとともに、特許請求の範囲に記載された発明とその均等の範囲に含まれる。
【符号の説明】
【００２８】
１：かご、１０：非常呼びシステム、１１：非常呼びボタン装置、１２：かご内インターホン、１３：外部インターホン、１４：ボタン、１５：ランプ、２０：インターホン制御部、２１：スイッチ、２２：通話状態検出部、２３：ランプ制御部、２４：通話開始検出部、２５：タイマー
【図１】
2018203438.tif 000003
【図２】
2018203438.tif 000004
【手続補正書】
【提出日】平成30年4月27日(2018.4.27)
【手続補正１】
【補正対象書類名】特許請求の範囲
【補正対象項目名】全文
【補正方法】変更
【補正の内容】
【特許請求の範囲】
【請求項１】
エレベータのかご内に設けられた非常呼びボタン装置であって、ボタンと、前記ボタンが押下されると点灯または点滅するランプと、を有する非常呼びボタン装置と、
前記かご内に設けられたかご内インターホンと、
前記かごの外部に設けられた外部インターホンと、
前記ボタンが押下されると前記かご内インターホンと前記外部インターホンとを通話可能状態とするインターホン制御部と、
前記かご内インターホンと前記外部インターホンとが通話状態になったことを検出する通話状態検出部と、
前記通話状態検出部により前記かご内インターホンと前記外部インターホンとが通話状態になったことが検出されると、前記ランプを消灯させるランプ制御部と、
を備え、
前記ランプ制御部は、前記通話状態検出部により前記かご内インターホンと前記外部インターホンとが通話状態になったことが検出されない場合、前記ボタンが押下されてから一定時間経過後に、前記ランプを消灯させ、
前記インターホン制御部は、前記通話状態検出部により前記かご内インターホンと前記外部インターホンとが通話状態になったことが検出されない場合、前記ボタンが押下されてから一定時間経過後に、前記かご内インターホンと前記外部インターホンとを通話不能状態とし、これにより、前記インターホン制御部は、前記ボタンが再度押下されると、前記かご内インターホンと前記外部インターホンとを再度通話可能状態とすることができることを特徴とする、非常呼びシステム。
【請求項２】
前記かご内インターホンおよび／または前記外部インターホンは、前記かご内インターホンと前記外部インターホンとの通話が開始されたことを検出する通話開始検出部を有し、
前記通話状態検出部は、前記通話開始検出部からの入力により、前記かご内インターホンと前記外部インターホンとが通話状態になったことを検出することを特徴とする、請求項１に記載の非常呼びシステム。
【手続補正書】
【提出日】平成30年8月27日(2018.8.27)
【手続補正１】
【補正対象書類名】特許請求の範囲
【補正対象項目名】全文
【補正方法】変更
【補正の内容】
【特許請求の範囲】
【請求項１】
エレベータのかご内に設けられた非常呼びボタン装置であって、ボタンと、前記ボタンが押下されると点灯または点滅するランプと、を有する非常呼びボタン装置と、
前記かご内に設けられたかご内インターホンと、
前記かごの外部に設けられた外部インターホンと、
前記ボタンが押下されると前記かご内インターホンと前記外部インターホンとを通話可能状態とするインターホン制御部と、
前記かご内インターホンと前記外部インターホンとが通話状態になったことを検出する通話状態検出部と、
前記通話状態検出部により前記かご内インターホンと前記外部インターホンとが通話状態になったことが検出されると、前記ランプを消灯させるランプ制御部と、
を備え、
前記ランプ制御部は、前記通話状態検出部により前記かご内インターホンと前記外部インターホンとが通話状態になったことが検出されない場合、前記ボタンが押下されてから一定時間経過後に、前記ランプを消灯させ、且つ、前記インターホン制御部に信号を入力し、
前記通話状態検出部により前記かご内インターホンと前記外部インターホンとが通話状態になったことが検出されない場合、前記ボタンが押下されてから一定時間経過後に前記ランプ制御部から前記インターホン制御部に前記信号が入力されると、前記インターホン制御部は、前記かご内インターホンと前記外部インターホンとを通話不能状態とし、これにより、前記インターホン制御部は、前記ボタンが再度押下されると、前記かご内インターホンと前記外部インターホンとを再度通話可能状態とすることができることを特徴とする、非常呼びシステム。
【請求項２】
前記かご内インターホンおよび／または前記外部インターホンは、前記かご内インターホンと前記外部インターホンとの通話が開始されたことを検出する通話開始検出部を有し、
前記通話状態検出部は、前記通話開始検出部からの入力により、前記かご内インターホンと前記外部インターホンとが通話状態になったことを検出することを特徴とする、請求項１に記載の非常呼びシステム。